(57)【要約】【課題】吸盤ユニットと台座で構成される吸着固定装置において、台座に加わったねじり力により吸盤ユニットの破損を防止する。【解決手段】本実施の形態の吸着固定装置は、台座と、吸盤軸と吸盤からなる吸盤ユニットと前記台座の上面を摺動させて、前記吸盤軸を上下に移動可能なレバーとを備え、前記台座は、当該台座に加わったねじり力を前記吸盤に伝える当て部を設け、前記吸盤は、前記当て部から伝えられた前記ねじり力を受ける受け部を設ける。【選択図】図１
2011202761.tif 000002
【特許請求の範囲】
【請求項１】
台座と、
吸盤軸と吸盤からなる吸盤ユニットと
前記台座の上面を摺動させて、前記吸盤軸を上下に移動可能なレバーとを備え、
前記台座は、当該台座に加わったねじり力を前記吸盤に伝える当て部を設け、
前記吸盤は、前記当て部から伝えられた前記ねじり力を受ける受け部を設けることを特徴とした吸着固定装置。
【請求項２】
前記受け部は、前記当て部を挟むように構成されることを特徴とする請求項１の吸着固定装置。
【請求項３】
台座と、
吸盤軸と吸盤からなる吸盤ユニットと
前記台座の上面を摺動させて、前記吸盤軸を上下に移動可能なレバーとを備え、
前記レバーは、前記レバー回転軸で前記吸盤が設置面に吸着するように回動させたときに、当該レバーに加わったねじり力を前記吸盤に伝える当て部を設け、
前記吸盤は、前記当て部から伝えられた前記ねじり力を受ける受け部を設けることを特徴とした吸着固定装置。
【請求項４】
前記受け部は、前記レバーが前記レバー回転軸で前記吸盤が設置面に吸着するように回動させたときに、前記レバーを挟むように構成されることを特徴とする請求項３の吸着固定装置。
【請求項５】
保持対象物を保持する保持部とを備えることを特徴とする請求項１〜４に記載の吸着固定装置。
【発明の詳細な説明】
【技術分野】
【０００１】
本発明は、吸盤を用いて床や壁に固定可能な吸着固定装置に関するものである。
【背景技術】
【０００２】
ワンセグ放送が始まり、それを受信できるポータブル型テレビが開発されている。そのようなポータブル型テレビでワンセグ放送を視聴するためには、その専用台が必要となり、様々な形態のテレビ台が提案されている。例えば、ポータブル型テレビを確実に固定するために、吸盤を用いた台も提案されている。
【０００３】
先行文献１に開示されている弾性吸着盤は、弾性吸着盤を変形させることで気密面に囲まれた密閉空間の体積を変化させるための摺動板、支柱の操作によって摺動板を動かすために摺動板上に立設された連結軸を有する。この弾性吸着盤は、摺動板をインサートした金型で弾性吸着盤を射出成形することで、両者が一体的に成形されている。このような構造の弾性吸着盤において、摺動板を弾性吸着盤から引き抜くような力が加えられると、弾性吸着盤の連結軸が突出している穴部が変形して拡大し、摺動板が脱落するという破損が発生しうる。先行文献1では、これを改善するために、摺動板に多数の透孔を設け、弾性吸着盤の成形時に弾性吸着盤の材料をこの透孔に流入させている。これにより、透孔に流入した弾性吸着盤の材料が閂の役割を果たし、この閂が破断しない限りは、摺動板が弾性吸着盤から脱落しないようになるので、摺動板の脱落強度が改善する。
【０００４】
このような吸盤ユニットは、ポータブル型テレビを固定するために、そのテレビ台にも利用が可能である。
【先行技術文献】
【特許文献】
【０００５】
【特許文献１】特開平８−９３７４３号公報
【発明の概要】
【発明が解決しようとする課題】
【０００６】
しかしながら、従来技術の弾性吸着盤をテレビ台に適用しても、閂部の破断強度を上回る荷重が作用すると閂部が破損し、摺動板の脱落強度が低下してしまうという課題があった。特に、摺動板の透孔は吸盤の中心に近い部分にあるので、弾性吸着盤中心から遠い位置に、摺動板をねじるような外力が加わると、比較的小さな力でも閂部が破断してしまうという課題があった。このねじり力に対する閂部の強度は、透孔の断面積を上げるか、透孔を弾性吸着盤の中心からより遠い位置にすることで改善できるが、どちらの方法でも摺動板の径が拡大してしまい、弾性吸着盤をコンパクトにすることが困難となる。
【０００７】
そこで、本発明は、上記従来の問題点を解決すべく、摺動板に大きなねじり力が加わった場合でも、破損に至る前に吸着を自動的に解除することで、破損を防ぐことができる吸着固定装置を提供することを目的とする。
【課題を解決するための手段】
【０００８】
上記目的を達成するために、本発明の吸着固定装置は、台座と、吸盤軸と吸盤からなる吸盤ユニットと前記台座の上面を摺動させて、前記吸盤軸を上下に移動可能なレバーとを備え、前記台座は、当該台座に加わったねじり力を前記吸盤に伝える当て部を設け、前記吸盤は、前記当て部から伝えられた前記ねじり力を受ける受け部を設けるようにしたものである。
【０００９】
このような構造とすることにより、台座に一定以上のねじり力が加わった場合には、当て部と受け部の接触により吸盤が変形し、吸着が解除されて吸着力が消滅するので、吸盤軸に加わるねじり力を一定以下にでき、吸盤ユニットの破損を防止できるという作用を有する。
【発明の効果】
【００１０】
上記の構成によれば、吸盤を吸着させた状態において、吸盤ユニットに破損強度を越えるねじり力が作用しない吸着固定装置を提供できる。
【図面の簡単な説明】
【００１１】
【図１】実施の形態１にかかる保吸着固定装置の斜視図
【図２】実施の形態1にかかる吸着固定装置における吸着前の状態を示す断面図
【図３】実施の形態1にかかる吸着固定装置における吸着後の状態を示す断面図
【図４】実施の形態1にかかる吸着固定装置における吸盤軸の斜視図
【図５】実施の形態1にかかる吸着固定装置における吸盤ユニットを示す断面図
【図６】実施の形態1にかかる吸着固定装置の吸着状態における天面図
【図７】実施の形態1にかかる吸着固定装置において台座が回転したときを示す天面図
【発明を実施するための形態】
【００１２】
以下、本発明の吸着固定装置の実施の形態について、ポータブルテレビを保持するスタンドを一例として、図面を参照しながら説明する。
（実施の形態１）
図１に、実施の形態１にかかる吸着固定装置の斜視図を示す。
【００１３】
図２に、実施の形態１にかかる吸着固定装置における吸着前の状態の断面図を示す。
【００１４】
図３に、実施の形態１にかかる吸着固定装置における吸着後の状態の断面図を示す。
【００１５】
図４に、実施の形態１にかかる吸着固定装置における吸盤軸の斜視図を示す。
【００１６】
図５に、実施の形態１にかかる吸着固定装置における吸盤ユニットの断面図を示す。
【００１７】
吸着固定装置１００は、台座１０１、吸盤ユニット１０２、レバー１０３、レバー回転軸１０４で構成される。
【００１８】
台座１０１は、貫通穴１０５、カム動作面１０６、気密リブ１０７、保持部１０８、回転当て１０９からなる。保持部１０８は、図示しないポータブルテレビを保持する。
【００１９】
吸盤ユニット１０２は、複数の穴１１０を有する吸盤軸１１１と吸盤１１２からなる。吸盤１１２は、吸盤軸１１１に対してインサート成形することで作られる。このとき、インサート成形され作られた吸盤１１２は、吸盤軸１１１の複数の穴１１０に入り込んだ樹脂である閂部１１３を有し、この閂部で吸盤軸１１１と一体化している。吸盤１１２の一部には、後で説明する回転受け１１４が設けられている。吸盤軸１１１は、レバー連結用穴１１５が設けられている。
【００２０】
レバー１０３は、操作部１１６、カム１１７、吸盤軸連結穴１１８からなる
なお、レバー回転軸１０４は、同軸線上に配置された吸盤軸連結用穴１１８とレバー連結用穴１１５とに挿入されているので、図２、図３では、重なり合っている。
【００２１】
次に、吸着固定装置１００の吸着動作を説明する。
【００２２】
吸着固定装置１００を吸着対象面１１９の上に置き、図２の吸着前の状態においてレバー１０３を方向Aに回転すると、カム１１７がカム動作面１０６上を摺動して吸盤軸連結用穴１１８を上に押し上げ、回動自在に連結されている吸盤軸１１１が引き上げられ、吸盤１１２が椀状に変形する。このとき、吸盤１１２は気密リブ１０７によって吸着対象面１１９に押し付けられて気密面１２０が形成される。これにより、吸盤１１２と気密面１２０と吸着対象面１１９に囲まれた密閉空間１２１内部の圧力が低下し、吸盤ユニット１０２は吸着対象面１１９に吸着する。以上の動作により、図２の吸着前の状態からレバー１０３を方向Aに回転させるだけで、図３の吸着後の状態に変化する。吸着後の状態から吸着前の状態に戻すためには、上記吸着動作の逆の手順で行うことが出来る。
【００２３】
次に、吸着固定装置１００の台座１０１にねじり力が加わった場合に、吸盤１１２にある閂部１１３が破損に至る前に、吸着が解除される様子を説明する。
図６は、吸着状態とした実施の形態1にかかる吸着固定装置１００の天面図を示す。ただし、見易さのためにレバーを省いて図示している。
【００２４】
台座１０１に方向Ｂの力を加えると、吸着対象面１１９と吸盤１１２との摩擦力が大きいために、台座１０１は吸盤軸１１１を中心として方向Ｃに回転を始め、台座１０１の回転当て１０９が、吸盤１１２の回転受け１１４に接触する。
【００２５】
図７は、台座１０１が方向Ｃに回転した状態を示す。このとき、吸着状態での台座１０１への荷重によって台座１０１が回転し、回転当て１０９と回転受け１１４が接触している。
【００２６】
この状態から、方向Ｂに力を加えていくと、回転当て１０９によって回転受け１１４が押され、吸盤１１２が歪められる。そして、密閉空間１２１を囲むように形成されていた気密面１２０が、部分的に吸着対象面１１９から持ち上げられ、密閉空間１２１に外部の空気が流入するので吸着が解除される。これにより、吸盤軸部１１１に過大なねじり力が作用することを防ぎ、吸盤ユニット１０２の破損を防止する効果が得られる。
【００２７】
なお、本実施の形態では、回転当て１０９及び回転受け１１４は、気密リブ１０７の外側に設けられているが、例えばこれを内側に設けても同様の効果が得られる。
【００２８】
また、本実施の形態では、回転当て１０９は円周の一箇所にのみ設けたが、複数個所に設けても同様の効果が得られる。
【００２９】
また、本実施の形態において、台座１０１には保持部１０８を設けず、レバー１０３に保持機能を持たせた場合でも、その他の部位について同様の構造とすれば、同様の効果が得られる。
【００３０】
さらに、回転当て１０９を台座１０１ではなく、レバー１０３に設ければ、レバー１０３に加えられた負荷による吸盤ユニット１０２の破損を防止する効果が得られる。
【産業上の利用可能性】
【００３１】
本発明は、吸盤を用いて床や壁に固定可能な吸着固定装置に関するものであって、吸盤ユニットの破損を防止することができる吸着固定装置を提供できる。そのため、本発明は、電子機器を保持することができる設置台に適用できる。
【符号の説明】
【００３２】
１００  吸着固定装置
１０１  台座
１０２  吸盤ユニット
１０３  レバー
１０４  レバー回転軸
１０５  貫通穴
１０６  カム動作面
１０７  気密リブ
１０８  保持部
１０９  回転当て
１１０  吸盤軸の穴
１１１  吸盤軸
１１２  吸盤
１１３  閂部
１１４  回転受け
１１５  レバー連結用穴
１１６  操作部
１１７  カム
１１８  吸盤軸連結用穴
１１９  吸着対象面
１２０  気密面
１２１  密閉空間
【図１】
2011202761.tif 000003
【図２】
2011202761.tif 000004
【図３】
2011202761.tif 000005
【図４】
2011202761.tif 000006
【図５】
2011202761.tif 000007
【図６】
2011202761.tif 000008
【図７】
2011202761.tif 000009